(57)【特許請求の範囲】
【請求項１】
凹溝を有するゴム、軟質樹脂又は無機質材からなる可撓性の矩形の基板と、この基板と同一の材料からなり、前記凹溝を塞ぐ蓋とからなる床置きピースにおいて、
前記基板の凹溝の底にＵ断面溝を設け、前記蓋にもＵ断面溝を設けることで、上下に合わせたＵ断面溝で配線を収納する長円孔を形成し、前記凹溝の溝幅を前記Ｕ断面溝の溝幅より大きくしたことを特徴とする床置きピース。
【請求項２】
前記凹溝が十字であることを特徴とした請求項１記載の床置きピース。
【請求項３】
前記蓋を基板にヒンジ止めしたことを特徴とする請求項１記載の床置きピース。
【請求項４】
配線用通孔及びこの配線用通孔へ外から配線を挿入するために表面から前記配線用通孔まで切込んだスリットを有し、ゴム、軟質樹脂又は無機質材からなる可撓性の矩形の基板と、前記スリットを跨がせる帯状部及びこの帯状部の両端から立ち下げ、前記基板の表面に噛み込ませる爪部を有する帯状補強板と、からなることを特徴とする床置きピース。
【発明の詳細な説明】
【０００１】
【発明の属する技術分野】
本発明は配線用床置きピースに関する。
【０００２】
【従来の技術】
最近のオフィスのＯＡ化に伴いコンピュータ、その周辺機器及びその他のＯＡ機器が多数導入され、オフィスに床配線が多数なされることとなった。従来の床配線はカーペット上に合成樹脂製「線ぴ」を貼り付けその線ぴの中に配線を通すものであった。しかし線ぴがカーペット上に露出するため人又は物の移動の妨げになり、又美観の点でも問題があった。これらの問題に対処するため、カーペットの下面に配線を収納すべく例えば（１）特開平１−１１１９５５号公報「配線溝付き床張材」や（２）特開平７−３２４４６３号公報「タイルカーペット」が提案されている。
【０００３】
上記（１）は、同公報第３図によると床張材１の裏面に配線を可能にする配線溝２を有する配線溝付き床張材である。
上記（２）は、同公報図２によるとタイルカーペットの裏打板１の一部を抜き取りそこに配線モールＡを挿入したものである。
【０００４】
【発明が解決しようとする課題】
しかし、上記（１）の床張材１を使用して配線する場合は、床張材１の裏面の配線溝２が下方に開口しているため、前記配線溝２に配線を臨ませながら床張材１を敷設していくことになり作業性が悪く、また上下左右の配線が多くなると配線溝２から配線が脱落し易く作業が不確実になり易い。
【０００５】
上記（２）のタイルカーペットを使用して配線する場合は、配線モールＡに配線を入れその配線モールＡをカーペットに挿入した後に前記カーペットを敷設していくことになり作業性が悪く、また、配線用モールＡの製作費が掛かり高価になる。
そこで、本発明の第１の目的は、作業性良く配線が布設でき、配線用線ぴ等の費用が不要で安価に床配線及び床仕上が可能となる配線用床置きピースを提供することにある。
【０００６】
また、床材に溝を設け、この溝に配線を納め、溝に薄いカバーをすることを考えた場合、薄いカバーは他の部位より脆弱となり、他の部位より沈みやすくなる。溝の代わりに配線用通孔を設け、外からスリットを介して配線を配線用通孔へ挿入するようにした場合でもスリットが沈み込みを招く。
そこで、本発明の第２の目的は、カバーやスリットを設けても荷重に耐える構造を提供することにある。
【０００７】
【課題を解決するための手段】
上記課題を解決するために本発明の請求項１は、凹溝を有するゴム、軟質樹脂又は無機質材からなる可撓性の矩形の基板と、この基板と同一の材料からなり、凹溝を塞ぐ蓋とからなる床置きピースにおいて、
前記基板の凹溝の底にＵ断面溝を設け、前記蓋にもＵ断面溝を設けることで、上下に合わせたＵ断面溝で配線を収納する長円孔を形成し、前記凹溝の溝幅を前記Ｕ断面溝の溝幅より大きくしたことを特徴とする。
床置きピースを凹溝を上にして床に敷設し、配線を上から凹溝に落とし込み、蓋で凹溝を塞ぐことで配線が布設でき、作業が下から上に順に行なうことができるので作業性が良好となる。
【０００８】
また、配線を床上に裸の状態で這わせたものに比較して、床置きピースに収納すれば配線の保護が図れ、極めて安全である。
加えて、Ｕ断面溝としたことにより配線の収まりが良くなる。
【０００９】
請求項２は、凹溝が十字であることを特徴とする。
凹溝を十字にしたことにより四方向からの配線に対応することができる。
【００１０】
請求項３は、蓋を基板にヒンジ止めしたことを特徴とする。
蓋を基板にヒンジ止めしたことにより蓋の紛失の虞がなくなり、部品の管理が容易になる。
【００１１】
請求項４は、配線用通孔及びこの配線用通孔へ外から配線を挿入するために表面から前記配線用通孔まで切込んだスリットを有し、ゴム、軟質樹脂又は無機質材からなる可撓性の矩形の基板と、前記スリットを跨がせる帯状部及びこの帯状部の両端から立ち下げ、前記基板の表面に噛み込ませる爪部を有する帯状補強板と、からなることを特徴とする床置きピースとした。
【００１２】
床置きピースをスリットを上に向けて床に敷設し、目的とする配線をスリットを通じ配線用通孔内に落とし込むことにより配線を布設することができ、作業性が良好で、また配線用通孔が配線周囲を覆うため布設した配線が配線用通孔から脱落する虞がなく作業が確実である。
また、配線を床上に裸の状態で這わせたものに比較して、床置きピースに収納すれば配線の保護が図れ、極めて安全である。
【００１３】
【発明の実施の形態】
本発明の実施の形態を添付図に基づいて以下に説明する。なお、図面は符号の向きに見るものとする。
図１は本発明に係る床置きピース（実施例１）の分解斜視図であり、床置きピース１はゴム、軟質樹脂又は無機質材からなる可撓性の矩形の基板２と蓋３とからなり、基板２は方形断面の凹溝４を十文字に備え、十文字の交差部の角を大きな円弧５とし、凹溝４の底中央にＵ断面溝６を十文字に備えると共に十文字の交差部の角を大きな円弧７としたものである。８は平面視略三角形の島である。
【００１４】
図２は本発明に係る蓋の底面図であり、蓋３は基板２の凹溝４を塞ぐもので、蓋３の底面中央にＵ断面溝９を十文字に備えると共に十文字の交差部の角を大きな円弧１０としたものである。１１は平面視略三角形の島である。
【００１５】
図１において、床置きピース１は基板２の材質が可撓性のゴム、軟質樹脂又は無機質材であるので床から伝わる振動、騒音、熱を減衰させる効果があり、また無機質材は難燃性で火災時の有毒ガスの発生がなく火災に対し安全性が高い。またＵ断面溝６の十文字の交差部の角は大きな円弧７としたことにより内部に入る配線の曲がりによる被覆のひび割れを防止できる。
軟質樹脂として軟質塩化ビニール、ポリウレタンが適当であり、無機質材としてロックウールのボード、グラスウールのボード、ケイ酸カルシウム系のボードが適当である。
【００１６】
図３は床置きピース（実施例１）の基板と蓋を合せた正面図であり、１２は長円孔であり基板２のＵ断面溝６と蓋３のＵ断面溝９を合わせたものである。
【００１７】
図４（ａ）、（ｂ）は本発明に係る床置きピース（実施例２）の平面図及び正面図であり、床置きピース１３はゴム、軟質樹脂又は無機質材からなる可撓性の矩形の基板１４と蓋１５とからなり、基板１４は方形断面の凹溝１６を十文字に備え、凹溝１６の底中央にＵ断面溝１７を十文字に備えたものであり、蓋１５は基板１４の凹溝１６を塞ぐもので、蓋１５の底面中央にＵ断面溝１８を十文字に備えたものである。１９は長円孔でＵ断面溝１７と１８を合せたものである。
床置きピース１３は配線が床置きピース１３を直線的に横切る箇所に使用するものである。
【００１８】
図５（ａ）、（ｂ）は本発明に係る床置きピース（実施例３）の平面図及び正面図であり、床置きピース２１はゴム、軟質樹脂又は無機質材からなる可撓性の矩形の基板２２と蓋２３とからなり、基板２２は方形断面の９０゜曲がる凹溝２４を円弧状に備えると共に凹溝２４の底中央に９０゜曲がるＵ断面溝２５を円弧状に備えたものであり、蓋２３は基板２２の凹溝２４を塞ぐもので、蓋２３の底面中央にＵ断面溝２６を円弧状に備えたものである。長円孔２７はＵ断面溝２５，２６とからなる。
この床置きピース２１は配線が９０゜曲がる箇所に使用するものである。
【００１９】
図６は本発明に係る床置きピース（実施例４）の斜視図であり、床置きピース３１はゴム、軟質樹脂又は無機質材からなる可撓性の矩形の基板３２に蓋３３をテープヒンジ３７でヒンジ止めしたものであり、基板３２は基板中央に一直線に設けた凹溝３４と、凹溝３４の底中央に設けたＵ断面溝３５とを備え、凹溝３４を塞ぐ蓋３３は蓋の底面中央に一直線にＵ断面溝３６を備えたものである。
蓋３３を基板３２にヒンジ止めしたことにより、蓋３３の紛失の虞がなくなり、部品の管理が容易である。
【００２０】
図７は本発明に係る床置きピース（実施例５）の斜視図であり、床置きピース４１は床置きピース２１（実施例３、図５参照）の蓋２３を基板２２にテープヒンジ４２でヒンジ止めしたものである。
蓋２３を基板２２にヒンジ止めしたことにより、蓋２３の紛失の虞がなくなり、部品の管理が容易である。
【００２１】
図８は床置きピースの参考図であり、床置きピース４３は逆台形断面の凹溝４４を有するゴム、軟質樹脂又は無機質材からなる可撓性の矩形の基板４５と凹溝４４を塞ぐ逆台形断面の蓋４６とからなり、凹溝４４と蓋４６の底面４７とが囲んだ空間４８が配線スペースとなる。
【００２２】
図９は本発明に係る床置きピース（実施例６）の斜視図であり、床置きピース５１は、ゴム、軟質樹脂又は無機質材からなる可撓性の矩形の基板５２に、この基板５２の上面５３に平行に設けた配線用通孔５４と、この配線用通孔５４の中心から基板上面５３に対し斜め４５°立上げて基板上面５３に通ずるスリット５５とを備えたものである。
配線をスリット５５を通じ配線用通孔５４に落とし込むことにより配線を布設することができ、作業が容易であり、また配線用通孔５４が配線周囲を覆うことになるので配線が配線用通孔５４から脱落することがなく作業が確実であり、また線ぴが不要で配線費用が安価になる。
【００２３】
図１０は本発明に係る床置きピース（実施例７）の斜視図であり、床置きピース５６は、ゴム、軟質樹脂又は無機質材からなる可撓性の矩形の基材５７に、この基板５７の上面５８に平行に設けた配線用通孔５９と、この配線用通孔５９の側部からＬ字状に上面５８に通ずるスリット６２とを備えたものである。
【００２４】
図１１は本発明に係る床置きピース（実施例８）の斜視図であり、床置きピース６３は、ゴム、軟質樹脂又は無機質材からなる可撓性の矩形の基板６４に、この基板６４の上面６５に平行に設けた配線用通孔６６と、この配線用通孔６６の上部と基板６４の上面６５に通ずるスリット６７とを備えたものである。
【００２５】
図１２は床置きピースの参考図であり、床置きピース７１は、ゴム、軟質樹脂又は無機質材からなる可撓性の矩形の基板７２に、この基板７２の下面７３に平行に設けた配線用通孔７４と、この配線用通孔７４の中心から下面７３に対し斜め４５°立下げて下面７３に通ずるスリット７５とを備え、基板７２の上面７６にループ繊維（又は布）７７を貼り付けたものである。
【００２６】
以上に述べた床置きピースの作用を次に説明する。
図１３は本発明に係る床置きピース（実施例１）を使用した配線施工断面図であり、床置きピース１の基板２…（…は複数を示す。以下同様。）を床Ｆに敷設し、配線Ｓを基板２のＵ断面溝６…に入れることにより配線を布設した後、蓋３…で凹溝４を塞ぎ、その後床置きピース１…の上から薄いカーペットＣを被せて配線Ｓの施工は完了する。
【００２７】
配線Ｓ収納する溝をＵ断面溝６としたことにより配線の収まりが良好である。
また床Ｆから上に順に作業していくことになり作業性が良好であり、床置きピース１が可撓性のゴム、軟質樹脂又は無機質材からなるので防振、防音及び断熱効果があり床置きピース１…の上に敷く仕上材は緩衝材のない薄いカーペットＣで充分であり、また線ぴも不要であり低コストで配線及び仕上の施工ができる。
また、配線を床上に裸の状態で這わせたものに比較して、床置きピースに収納すれば配線の保護が図れ、極めて安全である。
【００２８】
図１４は本発明に係る床置きピース（実施例１）を使用した配線施工平面図であり、床置きピース１（図１参照）の基板２…を床に敷設し、配線Ｓ，Ｓを基板２のＵ断面溝６…に入れ込むことにより▲１▼―▲１▼，▲２▼―▲２▼の如く配線し、その後蓋３…（図１参照）で凹溝４…を塞ぎ、床置きピース１の上から薄いカーペットＣ（図示せず。）を敷きつめて配線Ｓ，Ｓの施工は完了する。
この床置きピース１は床置きピース１を横切る直線部及び床置きピース１上を９０゜曲がる曲線部の両方を備えているので基板２…の敷設後の配線Ｓの布設自由度が高く作業性が良好である。
【００２９】
図１５は本発明に係る床置きピース（実施例６）を使用した配線施工図であり、（ａ）は配線施工断面図、（ｂ）は帯状補強板の斜視図であり、床置きピース５１…を床Ｆに敷設し、配線Ｓをスリット５５の上方からスリット５５に沿って押し込むと、基板５２の可撓性により配線Ｓは容易にスリット５５を通過して配線用通孔５４に入る。その後配線Ｓの上の床置きピース５１の上面５３に帯状補強板８０を載せ、その上から薄いカーペットを敷きつめて配線Ｓの施工は完了する。
【００３０】
帯状補強板８０は帯状部８１と爪部８２…とからなり、爪部８２…を基板５７の上面５３に押し込むことにより帯状補強板８０を固定する。尚、帯状補強板８０は配線上に局部的に荷重が掛かる場合の配線のつぶれ等を防止するものである。
【００３１】
床置きピース５１が一体のものであるので取扱性が良好であり、また床Ｆから上に順に作業していくことになり作業性も良好である。更に床置きピース５１が可撓性のゴム、軟質樹脂又は無機質材からなるので防振、防音及び断熱効果があり床置きピースの上に敷く仕上材は緩衝材のない薄いカーペットＣで充分であり、材料コストの削減に効果がある。
また、配線を床上に裸の状態で這わせたものに比較して、床置きピースに収納すれば配線の保護が図れ、極めて安全である。
【００３２】
図１６は床置きピースの配線施工に関する参考図であり、上面がループ繊維又は布７７からなる床置ピース７１のスリット７５を通じて配線用通孔７４内へ配線を取り込みつつ、床置きピース７１…を敷きつめることにより配線Ｓを布設する。
【００３３】
スリット７５を通じて配線用通孔７４内へ配線Ｓを落とし込むことにより容易に配線Ｓを布設することができ、また配線用通孔７４が配線Ｓ周囲を覆うため布設した配線Ｓが配線用通孔７４から脱落することがなく作業が容易且つ確実である。
尚、蓋３，１５，２３，３３，４６の材質は凹溝４４、Ｕ断面溝６，１７，２５，３５内の配線の保護のためゴム、軟質樹脂、硬質樹脂、無機質材又は金属が適当である。
【００３４】
【発明の効果】
本発明は上記構成により次の効果を発揮する。
請求項１の床置きピースは、配線を通す凹溝を有するゴム、軟質樹脂又は無機質材からなる可撓性の矩形の基板と、凹溝を塞ぐ蓋とからなるので、床置きピースを凹溝を上にして床に敷設し、配線を上から凹溝に落とし込み、蓋により凹溝を塞ぐことで配線が布設でき、作業を下から上に順に行なうことになり作業性が良好である。
また、配線を床上に裸の状態で這わせたものに比較して、床置きピースに収納すれば配線の保護が図れ、極めて安全である。
加えて、床置きピースは、基板の凹溝の底にＵ断面溝を設け、蓋にもＵ断面溝を設けたので、配線の収まりが良好である。
【００３５】
さらに、請求項１では、凹溝の溝幅をＵ断面溝の溝幅より大きくしたので、Ｕ断面溝を除いた凹溝の底面積は大きくなり、この大きな面積の凹溝に蓋を載せることができるため、蓋の沈み込みを防止することができる。
【００３６】
請求項２の床置きピースは、凹溝が十字なので、四方向からの配線に対応することができる。
【００３７】
請求項３の床置きピースは、蓋を基板にヒンジ止めしたので、蓋と基板がヒンジを通じて一体となり蓋の紛失の虞がなくなり、部品の管理が容易になる。
【００３８】
請求項４の床置きピースは、ゴム、軟質樹脂又は無機質材からなる可撓性の矩形の基板に、スリットを介して外とつながる配線用通孔を、面に平行に設けたので、床置きピースを敷設し、目的とする配線をスリットを通じ配線用通孔内に落とし込むことにより配線を布設することができ、作業性が良好であり、また配線用通孔が配線周囲を覆うため布設した配線が配線用通孔から脱落することがなく作業が確実である。
【００３９】
帯状補強板は帯状部と爪部とからなり、爪部を基板の上面に押し込むことにより帯状補強板を固定する。帯状補強板は配線上に局部的に荷重が掛かる場合の配線のつぶれ等を防止するものである。
また、配線を床上に裸の状態で這わせたものに比較して、床置きピースに収納すれば配線の保護が図れ、極めて安全である。
【図面の簡単な説明】
【図１】  本発明に係る床置きピース（実施例１）の分解斜視図
【図２】  本発明に係る蓋の底面図
【図３】  床置きピース（実施例１）の基板と蓋を合せた正面図
【図４】  本発明に係る床置きピース（実施例２）の平面図及び正面図
【図５】  本発明に係る床置きピース（実施例３）の平面図及び正面図
【図６】  本発明に係る床置きピース（実施例４）の斜視図
【図７】  本発明に係る床置きピース（実施例５）の斜視図
【図８】  床置きピースの参考図
【図９】  本発明に係る床置きピース（実施例６）の斜視図
【図１０】  本発明に係る床置きピース（実施例７）の斜視図
【図１１】  本発明に係る床置きピース（実施例８）の斜視図
【図１２】  本発明に係る床置きピース（実施例９）の正面図
【図１３】  床置きピースの参考図
【図１４】  本発明に係る床置きピース（実施例１）を使用した配線施工平面図
【図１５】  本発明に係る床置きピース（実施例６）を使用した配線施工図であり、（ａ）は配線施工断面図、（ｂ）は帯状補強板の斜視図
【図１６】  床置きピースの配線施工に関する参考図
【符号の説明】
１，１３，２１，３１，４１，４３，５１，５６，６３，７１…床置きピース、２，１４，２２，３２，４５，５２，５７，６４，７２…基板、３，１５，２３，３３，４６…蓋、４，１６，２４，３４，４４…凹溝、５…円弧、６，１７，２５，３５…基板のＵ断面溝、７…円弧、９，１８，２６，３６，…蓋のＵ断面溝、１０…円弧、１２，１９，２７…長円孔、３７，４２…テープヒンジ、５３，５８，６５，７６…上面、５４，５９，６６，７４…配線用通孔、５５，６２，６７，７５…スリット、７３…下面、７７…ループ繊維（又は布）。
【図１】
0003833328.tif 000002
【図２】
0003833328.tif 000003
【図３】
0003833328.tif 000004
【図４】
0003833328.tif 000005
【図５】
0003833328.tif 000006
【図６】
0003833328.tif 000007
【図７】
0003833328.tif 000008
【図８】
0003833328.tif 000009
【図９】
0003833328.tif 000010
【図１０】
0003833328.tif 000011
【図１１】
0003833328.tif 000012
【図１２】
0003833328.tif 000013
【図１３】
0003833328.tif 000014
【図１４】
0003833328.tif 000015
【図１５】
0003833328.tif 000016
【図１６】
0003833328.tif 000017